(57)【要約】【課題】アクティブフィルタ回路を備えた電源装置においても、容易かつ安価な構成で、商用電源電圧の変動に影響されること無く安全に動作する画像形成装置を得ること。【解決手段】プリント開始直前のスタンバイ時に力率改善ＩＣを停止させてアクティブフィルタ回路のスイッチングを停止し（Ｓ４０１）、電圧検出回路が電源装置二次側より入力電圧を検出する（Ｓ４０２）。検出結果を判定し（Ｓ４０３）、異常検知した場合はＳ４０４へ進んで設定を変更し、入力電流上限値１５Ａを守るように効率的かつ安全性を保てるように制御する。異常検知しない場合はＳ４０５へ進み、デフォルト設定のまま通常の制御を行う。【選択図】図４
2007101667.tif 000002
【特許請求の範囲】
【請求項１】
商用電源の整流出力に結合されたアクティブフィルタと、該フィルタに結合されたトランスの二次側に直流電圧を出力するＤＣ／ＤＣコンバータを有する直流電源と、該電源により駆動される負荷とを備えた画像形成装置において、
該負荷が軽負荷のときに前記アクティブフィルタのスイッチングを停止させる停止手段と、
該フィルタがスイッチングを停止している状態で、前記二次側において前記商用電源の入力電圧に応じた電圧を検出する検出手段と、
該検出電圧より前記入力電圧が異常かを判定する判定手段と、
前記入力電圧が異常と判定されたときに、前記負荷へ供給する電力を低減する、あるいは前記負荷の駆動力を低減するように制御シーケンスを変更する手段と
を備えることを特徴とする画像形成装置。
【請求項２】
前記制御シーケンスは、スループット、前記負荷である定着器への電力投入、動作停止のいずれかを含む、請求項１の装置。
【請求項３】
商用電源の整流出力に結合されたアクティブフィルタと、該フィルタに結合されたトランスの二次側に直流電圧を出力するＤＣ／ＤＣコンバータを有するユニバーサル電圧対応の直流電源と、該電源により駆動される負荷とを備えた画像形成装置において、
該負荷が軽負荷のときに前記アクティブフィルタのスイッチングを停止させる停止手段と、
該フィルタがスイッチングを停止している状態で、前記二次側において前記商用電源の入力電圧に応じた電圧を、１００Ｖ系直流電源の電圧範囲について検出する検出手段と、
該検出電圧より前記入力電圧が異常かを判定する判定手段と、
前記入力電圧が異常と判定されたときに、前記負荷へ供給する電力を低減する、あるいは前記負荷の駆動力を低減するように制御シーケンスを変更する手段と
を備えることを特徴とする画像形成装置。
【請求項４】
前記検出電圧が前記電圧範囲にない場合に前記商用電源が２００Ｖ系であると判断する手段をさらに備えることを特徴とする請求項３に記載の装置。
【請求項５】
前記判定手段が前記検出電圧より前記入力電圧が異常であると判定したときに、さらに
前記検出電圧より前記入力電圧が異常かを判定する再判定手段をさらに備えることを特徴とする請求項１または３の装置。
【請求項６】
前記検出電圧が所定範囲外で前記入力電圧が異常と判定された場合に、該異常の状態を表示してユーザに異常警告する手段をさらに備えることを特徴とする請求項１または３の装置。
【請求項７】
前記異常の状態を記憶媒体に記憶する手段をさらに備え、該手段が該異常状態として、異常発生時刻、入力電圧値、装置の使用環境条件を該媒体に記憶する、請求項１または３の装置。
【請求項８】
前記負荷としてオプションユニットが装置に装着された場合に前記検出手段による電圧検出を行う、請求項１または３の装置。
【請求項９】
前記検出手段による電圧検出を複数回行った平均値を前記検出電圧として異常判定を行う、請求項１または３の装置。
【請求項１０】
前記停止手段は、装置への電源投入直後、省電力モード解除直後、省電力モード時、スタンバイ時である前記軽負荷のときに前記アクティブフィルタのスイッチングを停止させる、請求項１または３の装置。
【発明の詳細な説明】
【技術分野】
【０００１】
本発明は、少なくとも整流回路、力率改善のためのアクティブフィルタ回路、ＤＣ／ＤＣコンバータ回路からなるスイッチング電源装置を備えた画像形成装置に関する。本発明は、特に詳細には、供給される商用電源電圧検知回路を電源装置の二次側に備え、且つ、レーザプリンタのように、定着器および複数のモータ、アクチュエータなどの駆動系を有し、幾つかの負荷出力モードを持つ画像形成装置に関する
【背景技術】
【０００２】
電子写真プロセスを用いたプリンタや複写機、ファクシミリなど、定着器および複数の電動駆動装置（例えばモータ、アクチュエータなど）を有する画像形成装置において、プリント速度の向上、装置稼動開始時間短縮が求められている。装置稼動開始時間短縮のため、定着器および駆動負荷への供給電力は増加の傾向にある。供給電力の増加傾向に伴い、装置内の電源装置は大電力容量かつ高効率であることが要求されている。しかし、一般的に商用電源から画像形成装置に供給できる入力電流には、例えば日本国内においては１５Ａという上限があり、上記の要求を満たすためには電源装置を単に大容量化するだけでなく、高力率化回路を追加する必要がある。高力率化電源を使用することによって定着器への投入電力を有効利用できるため、駆動装置に大電力が必要な機器では電源装置に力率改善回路を設ける場合が多い。このような大電力電源装置に用いられる力率改善回路としては一般的に昇圧タイプが多く用いられ、これにより、力率改善のみならず、入力電源の高調波成分を低減することができる。
【０００３】
一方、昇圧コンバータのような力率改善回路を用いることで皮相電力を減少させ入力電流を減らすことができるものの、入力電流に上限値があることは、商用電源電圧の変動により装置全体の使用可能な負荷電力が変動してしまうことを意味する。例えば、入力電流上限値が１５Ａのときに商用電源電圧がＡＣ１００ＶからＡＣ８０Ｖに低下した場合、装置で使用可能な皮相電力は１５００Ｗから１２００Ｗに低下し、３００Ｗも装置で使用可能な電力が低下してしまう。
【０００４】
そのため、大電力が必要な画像形成装置において安全性を確保しつつ商用電源から使用可能な電力を有効利用するには力率改善回路を設けるだけでは十分でなく、商用電源電圧の変動に応じて定着器および駆動負荷への供給電力を変動または停止させる必要がある。
【０００５】
また、電源装置においては、商用電源電圧がＡＣ１００Ｖ以下に低下してもそのまま動作を保持し続けることがある。この場合、電源装置内の一次側回路により多くの電流が流れ続けるために、装置内の部品を定格内で使用できない懸念がある。そこで画像形成装置の入力電源電圧を検出して常時監視し、その検出結果から入力電源電圧低下と判断した場合に、その電圧レベルに従って画像形成装置の処理速度を低下させる方法がある（例えば、特許文献１）。
【０００６】
【特許文献１】特開２００４−２２６８８８号公報
【発明の開示】
【発明が解決しようとする課題】
【０００７】
上記従来例は、入力電圧を常時監視し、負荷制御を変更することにより入力電流上限を超えないように制御するものであり、ブレーカ遮断防止、電源故障防止などの信頼性向上、電力の有効利用に大変有効である。また、入力交流電圧の検出は、電源装置二次側より検出する方法が容易かつ低コストで実現可能である。しかし、このような大電力を必要とする電源は力率改善回路を必要とし、整流後の出力波形は力率改善回路により交流電圧が昇圧されて一定に保たれる。このため、常時、入力電圧を検出する方法としては、整流ダイオード前の脈流を整流して検出する方法が一般的である。
【０００８】
整流後であって昇圧前の位置に入力電圧検出回路を設けた場合、力率改善回路の動作により整流波形がリップル波形となること、また力率改善回路のスイッチングノイズ、二次側負荷電流による電圧変動などの問題により、交流電圧の検出精度が低下する。また、整流前に入力電圧検出回路を設けると電源周波数に対応したダイオード及び大容量コンデンサが必要となり、スペースおよびコストにおいて問題となっていた。また、一次側入力部に電圧検出回路を設けた場合には、電源ＳＷオフ時または省電力モード時は電圧検出動作をする必要がないにも係らず該回路が動作して常に電力を消費するため、省電力という観点で好ましくない。このため、例えば、各相を遮断できる両切りタイプの電源ＳＷを設ける必要がある。
【０００９】
このように、従来の方式において力率改善回路を設けた電源装置の入力交流電圧検出を常時行うことは、コスト、スペース、省電力面で万全ではなかった。
【００１０】
本出願の目的は、整流回路、力率改善回路、ＤＣ／ＤＣコンバータ回路を有する電源装置を備えた画像形成装置に、以下のような機能を提供することである。すなわち、電源ＳＷオン後、プリント開始直前などに力率改善回路を停止・遮断した状態において電源装置の二次側より交流電圧検出を行い、検出結果に応じて制御シーケンスを決定する機能を備えた画像形成装置を提供することが本出願の目的である。
【課題を解決するための手段】
【００１１】
上記目的を達成するための本発明の一態様は、商用電源の整流出力に結合されたアクティブフィルタと、該フィルタに結合されたトランスの二次側に直流電圧を出力するＤＣ／ＤＣコンバータを有する直流電源と、該電源により駆動される負荷とを備えた画像形成装置において、該負荷が軽負荷のときに前記アクティブフィルタのスイッチングを停止させる停止手段と、該フィルタがスイッチングを停止している状態で、前記二次側において前記商用電源の入力電圧に応じた電圧を検出する検出手段と、該検出電圧より前記入力電圧が異常かを判定する判定手段と、前記入力電圧が異常と判定されたときに、前記負荷へ供給する電力を低減する、あるいは前記負荷の駆動力を低減するように制御シーケンスを変更する手段とを備えることを特徴とする。
【００１２】
上記目的を達成するための本発明の他の態様は、商用電源の整流出力に結合されたアクティブフィルタと、該フィルタに結合されたトランスの二次側に直流電圧を出力するＤＣ／ＤＣコンバータを有するユニバーサル電圧対応の直流電源と、該電源により駆動される負荷とを備えた画像形成装置において、該負荷が軽負荷のときに前記アクティブフィルタのスイッチングを停止させる停止手段と、該フィルタがスイッチングを停止している状態で、前記二次側において前記商用電源の入力電圧に応じた電圧を、１００Ｖ系直流電源の電圧範囲について検出する検出手段と、該検出電圧より前記入力電圧が異常かを判定する判定手段と、前記入力電圧が異常と判定されたときに、前記負荷へ供給する電力を低減する、あるいは前記負荷の駆動力を低減するように制御シーケンスを変更する手段とを備えることを特徴とする。
【発明の効果】
【００１３】
上記構成の本願発明装置は、力率改善作用を持つアクティブフィルタ回路を内蔵した電源においても、軽負荷時にアクティブフィルタのスイッチングを停止した状態で装置に供給される商用電源の入力電圧を電源二次側より検出する構成を採用した。このため、大幅なコストアップをすること無く検出回路を構成でき、装置の安全性を向上させることができる。また、装置の電源装置がユニバーサル電圧対応の電源装置の場合、供給される商用電源の入力電圧検出範囲を１００Ｖ系商用電源の電圧範囲に限定することで、特に入力電流制限が厳しい低電圧時における電圧検出精度を向上できる。
【発明を実施するための最良の形態】
【００１４】
以下ではカラーレーザビームプリンタに本発明を適用した場合について説明するが、レーザービームプリンタ以外の画像形成装置にも本発明は適用可能である。すなわち、複数の駆動装置（例えばモータ、アクチュエータなど）が存在し、比較的大容量の力率改善回路を含んだ電源装置を有する画像形成装置であれば、駆動装置の動作シーケンスが複数存在する状態において本発明を適用することができる。
【００１５】
（実施形態１）
図１は、本発明の画像形成装置の実施形態１であるカラーレーザビームプリンタ全体の概略構成を示す構成図である。図１に示すように、画像形成装置１００は記録媒体１０１を給送ローラ１０２により給送して、中間転写体１０３に向けて搬送する。
【００１６】
感光ドラム１０４は、駆動モータ（図示せず）の動力によって所定の速度で半時計回り方向に回転駆動され、その回転過程で１次帯電器１０５によって一様に帯電処理される。画像信号に対応して変調されたレーザ光がレーザビームスキャナ１０６から出力され、感光ドラム１０４上を選択的に走査露光して静電潜像を形成する。
【００１７】
現像器１０７は、静電潜像に現像体である粉体トナーを付着させてトナー像（現像体像）として可視像化する。感光ドラム１０４上に形成されたトナー像は、感光ドラム１０４と接触して回転する中間転写体１０３上に一次転写される。その後、中間転写体１０３の回転と同期をとった適切なタイミングで搬送された記録媒体１０１が転写バイアスを印加された転写ローラ１０８で中間転写体１０３に圧接されて、トナー像が記録媒体１０１上に二次転写される。
【００１８】
廃トナークリーナ１０９は、感光ドラム１０４上の残留トナーを除去する。廃トナー容器１１０は、廃トナークリーナ１０９が回収した廃トナーを収納する。
【００１９】
感光ドラム１０４、１次帯電器１０５、レーザビームスキャナ１０６、現像器１０７、廃トナークリーナ１１１、および廃トナー容器１１２は、ブラック、イエロー、マゼンタ、シアンの４色分がそれぞれ配置されている。これにより、４色分のトナー像が記録媒体上に順次、二次転写される。
【００２０】
トナー像が記録媒体１０１の領域よりも小さい通常のプリント時は、通常は転写ローラ１０８にトナーが付着することはない。しかし、トナー像が記録媒体１０１の領域よりも大きい縁無しプリント時は、記録媒体領域外にあるトナー像がバイアスを印加された転写ローラ１０８に中間転写体１０３から転写される。転写ローラ１０８に転写された記録媒体領域外のトナー像は、転写ローラ１０８の１回転後に記録媒体１０１の裏面に接触するため記録媒体１０１の裏面が汚れてしまう。そこで、縁無しプリント対応の画像形成装置１００は、転写ローラ１０８に付着したトナーを除去する二次転写廃トナークリーナ１１１と、二次転写廃トナークリーナ１１１により回収された廃トナーを収納する二次転写廃トナー容器１１２を有する。
【００２１】
定着器１１３は、定着ヒータ１１４を内蔵した定着ローラ１１５と定着ローラ１１５に圧接するための加圧ローラ１１６を備え、記録媒体１０１を加熱及び加圧することでトナー像を定着し、画像形成物として機外へ排出する。
【００２２】
温度湿度センサ１１７は画像形成装置内の温度および湿度を検出する。商用電源１１８に接続された電源装置１１９は交流から直流への整流作用を持ち、前述のプロセスで消費される電力は電源装置１１９から装置各部へ供給される。メディアセンサ１２０は記録媒体を判別する。タッチパネル１２１は、画像形成装置１００の状態を表示し、操作入力を受け付ける。
【００２３】
このような画像形成装置をはじめとした電子写真技術を利用したＯＡ機器は大電力を消費するものが多く、例えば定着器１１３は６００Ｗ〜１２００Ｗを消費する。また、近年の装置の高速化に加えて両面印刷オプション、排紙オプション、イメージスキャナオプションなど多数の付属ユニットを加えると、定着器電力以外の駆動系消費電力も益々増加している。このため、商用電源１１８の電流上限を超えないように電流を有効利用するため、電源装置に力率改善回路を設ける必要がある。
【００２４】
本実施形態の特徴的な構成である電源装置１１９は、整流素子および力率改善機能を有するアクティブフィルタ回路、ＤＣ／ＤＣコンバータを含む。ＤＣ／ＤＣコンバータには、例えばフォワード方式、フライバック方式、ハーフブリッジ方式など様々な方式のものを使用できる。
【００２５】
図２は電源装置１１９の主要部を示す回路図である。図２のように、電源装置１１９は力率改善のためのアクティブフィルタ回路を備えている。アクティブフィルタ回路は、チョークコイル２０１、ダイオード２０３、整流コンデンサ２０３、およびスイッチング素子２０２と、その制御回路である力率改善ＩＣ２０６から構成される。制御部２１４によって力率改善ＩＣ２０６のオン／オフをコントロールできる。力率改善ＩＣ２０６のオン／オフコントロールは、力率改善ＩＣ２０６のオンオフコントロール端子を制御しても、省電力の観点から力率改善ＩＣ２０６への電源供給ラインを遮断するように制御しても行うことができる。
【００２６】
一般的に電圧検出回路２１０は、例えば図２のようなフライバック方式の電源装置の場合、トランス２０９の二次側補助巻線よりフライバック電圧のオンデューティ比を検出し、制御部２１４のＡＤ変換部でＡＤ変換を行う。スイッチング素子２０２のドレインソース間電圧を検波して検出することもできるが、電源装置の１次２次間の沿面距離を確保するためにスイッチング出力をフォトカプラで二次側に出力する必要があるため得策ではない。図２の回路は１コンバータ方式であるが、多コンバータ出力電源においても流用可能である。コンバータの種類によって様々な電圧検出方法が存在するが、二次側で検出するものであればよい。また、電圧検出回路２１０は、ＡＤ変換回路の入力範囲となるように検出電圧範囲を調整して、電圧検出回路内の電源電圧が負荷によって変動しないように安定化することは言うまでもない。
【００２７】
電源ＳＷオン直後の電源装置の動作を簡単に説明する。電源ＳＷ（図示せず）がオンされるとまず電源ＩＣ２０７が起動し、スイッチング素子２０５を動作させる。スイッチング素子２０５のスイッチング波形によりトランス２０９を動作させ二次側の整流部（２１１，２１２）で整流すると、負荷２１３への電源出力が得られる。電圧検出回路２１０へは、整流部（２１６，２１７）で整流した電圧が入力される。その後、制御部２１４が動作し、力率改善ＩＣ２０６のオンオフコントロール制御２０８が可能となる。
【００２８】
制御部２１４は、電圧検出回路２１０が検出動作を行う前に、力率改善ＩＣ２０６をオン／オフコントロール２０８によりオフに設定し、昇圧動作を停止する。初期動作で力率改善ＩＣ２０６がオフ設定の場合、この動作は省略できる。このとき画像形成装置はイニシャル動作開始前のため、殆どの負荷は制御部２１４などの動作により決定され、ある任意の一定負荷条件にある。昇圧動作を停止しているため、スイッチング素子２０５のオン時におけるドレインソース間電圧は入力交流電圧に対応した電圧である。ここで、スイッチング素子２０５のスイッチング波形は電源周波数の数百倍の周波数で駆動されている。このため、商用電源１１８からの入力部に電圧検出回路を設けるよりも電源装置の二次側に設けた方が、ダイオード、コンデンサの容量及び定格電圧等を小さくでき、省スペース、低コスト化に有利である。
【００２９】
図３は、商用電源１１８の入力電圧検出タイミングの一実施例を示す図である。図３には、画像形成装置１００の消費電力および動作シーケンスが、力率改善ＩＣのＯＮ／ＯＦＦタイミングおよび商用電源１１８の入力電圧検出タイミングとともに示されている。
【００３０】
電源ＳＷオン後に画像形成装置１００は、機器の動作が正常に行なわれるかイニシャル動作確認を行う。その後、定着器１１３を所定温度までウォームアップする。ウォームアップ後、画像形成装置１００はいつでもプリント動作を開始できるスタンバイ状態となる。その後、プリント命令に従いプリント動作を行う。
【００３１】
ここで、図３に示すように、電源装置１１９の負荷が大くなるのは、イニシャル動作時およびプリント時である。これらの時は、商用電源１１８の入力電流上限値１５Ａを守るために電源装置１１９の力率改善ＩＣ２０６を動作させる必要がある。それ以外の、電源ＳＷオン直後、ウォームアップ時、ウォーム直後のスタンバイ時、スタンバイ時、および省電力モード時は電源装置１１９の負荷変動がそれほど大きくない。このため、これらのときには力率改善ＩＣ２０６を停止させてアクティブフィルタ回路のスイッチングを停止することができる。トランス一次側およびスイッチング素子は、昇圧停止のため電流が増加するが、負荷が軽い範囲なら、熱破壊および過電流破壊、過電流保護を避けることができる。また、このような軽負荷時に力率改善ＩＣ２０６を停止させることで力率改善回路のスイッチング損失を低減できるため、ユーザには省電力の観点からも有益である。
【００３２】
商用電源１１８の入力電流上限値１５Ａを守るためには、電圧検出回路２１０が特にプリント開始直前の商用電源１１８の入力電圧を検出することが最も効果的である。そこで、図３（ｃ）が示すタイミングのようにプリント開始直前のスタンバイ時に力率改善ＩＣ２０６を停止してアクティブフィルタ回路のスイッチングを停止した後（図４のプリント開始直前の基本シーケンスにおけるＳ４０１）、入力電圧検出を行う。つまり、電圧検出回路２１０が電源装置二次側より入力電圧を検出する（同Ｓ４０２）。次に、検出結果を判定し（同Ｓ４０３）、検出結果に応じて画像形成装置１００の動作設定を行う。
【００３３】
すなわち、Ｓ４０３の結果により異常を検知した場合はＳ４０４へ進み、画像形成装置の動作設定を変更し、入力電流上限値１５Ａを守るように効率的かつ安全性を保てるように制御する。例えばＡＣ１００Ｖ以下であると検知した場合、商用電源１１８の入力電流上限値を超えないように画像形成装置の制御を変更する。例えば、定着器１１３への投入電力の低減および駆動系負荷の低減を行うと良い。Ｓ４０３の結果により異常を検知しない場合はＳ４０５へ進み、デフォルト動作設定のまま通常の画像形成装置の制御を行う。
【００３４】
上記の例に限らず、省電力モードからの復帰時など、力率改善回路停止状態からの復帰時のタイミングで入力電圧検出を行うことも大変有効であり、電源装置の負荷変動がそれほど大きくない状態であればよい。また、電圧検出結果の異常判断のための閾値は必ずしも一つである必要はなく、複数の閾値を設けることで、より無駄なく電力を使用でき、よりユーザビリティを向上できる。
【００３５】
なお、図２には１コンバータのみ記載したが、例えば制御部用コンバータと駆動部用のコンバータと組み合わせても良い。その場合、駆動部コンバータを停止し、制御用コンバータのみ動作させて入力交流電圧検知を行うと、余分なスイッチングノイズを低減させることができ、出力電圧の精度をより向上できる。
【００３６】
図３においては、プリント時に力率改善ＩＣ２０６を動作させる必要があったが、プリント時に力率改善ＩＣ２０６を停止させてもよい。すなわち、負荷２１３に例えば排紙、給紙、両面などのオプションユニットが含まれ、且つそれらオプションユニットが未装着または未動作などの軽負荷条件下で、プリント時に力率改善ＩＣ２０６を停止させ、電圧検出回路２１０を動作させてもよい。
【００３７】
なお、図３（ｃ）に示したプリント開始直前のスタンバイ時に限らず、上述した負荷変動がそれほど大きくない各状態のときにアクティブフィルタ回路のスイッチングを停止させて入力電圧検出を行ってもよい。また入力電圧検出は、ソーターなどのオプションユニットが本画像形成装置に装着された場合に限って上記のタイミングで行うようにしてもよい。さらに入力電圧検出は、複数回検出した結果の平均値を求め、検出精度を向上させるようにしてもよい。さらにＳ４０３において異常と判定されたときにＳ４０２と同様の入力電圧検出を再度行い、再度異常と判定されたときに異常判定するようにしてもよい。
【００３８】
（実施形態２）
本実施形態の画像形成装置の全体構成は第１の実施形態のものと同様のため、その説明を省略する。第１の実施形態のものと異なる電源装置については、図５のブロック図を用いて説明する。
【００３９】
図５の回路の基本的な構成は実施形態１と同様であり、フライバックコンバータのスイッチング波形より交流電圧検出を行なう。実施形態１について説明したように、電源ＳＷオン時または省エネモード復帰時の負荷電力はほぼ一定であり、力率改善用ＩＣ２０６を停止させてアクティブフィルタ回路のスイッチングを停止することで高精度の検出が可能となる。
【００４０】
図４のように電圧検出回路２１０による商用電源１１８の電圧検出を制御部２１４が判断して検出結果より明らかに異常であると検知した場合（Ｓ４０１〜４０３）、一次側電流の増加による電源装置の故障を防ぐ必要がある。例えば検出電圧がＡＣ８０Ｖ以下と判断された場合、一次側電流の増加による電源装置内の回路部品故障を防ぐために、プリント動作開始の停止を必要とする。
【００４１】
画像形成装置は設置場所により電源環境がまちまちである。他系統の電源異常の影響、自系統の電源異常などによりライン間電圧変動を起こすことがある。度々生じる電源異常による画像形成装置の停止は、イニシャライズを繰り返さなければならず、また、機内のジャム処理を引き起こすためユーザにとって非常に煩わしい。
【００４２】
本実施形態では、電源異常時の状態、回数などを記憶装置２１５に記録し、例えばタッチパネル１２１などの報知手段に表示してユーザに報知する。記録してユーザに報知する状態として、タイマ（図示せず）で計測した異常発生時刻、商用電源１１８からまたは電圧検出回路２１０の入力電圧値、メディアセンサ１２０で検知した記録用紙の種類、温度湿度センサで検知した機内の温度および湿度が挙げられる。記憶装置２１５には、記憶媒体５００を脱着できるタイプを使用してもよい。この構成によれば、ユーザに電源異常を報知することで、電源環境の改善を促すことができ、またサービスマンによるメンテナンスに有効な画像形成装置を提供することができる。
【００４３】
（実施形態３）
本実施形態の画像形成装置自体の構成は第１の実施形態のものと同様のため、その説明を省略する。
【００４４】
近年、ユーザビリティ向上、在庫管理の簡素化のために、一般電化製品と同様に画像形成装置においてもユニバーサル電圧対応への要求が高まっている。画像形成装置のような高出力が要求される製品に使用される力率改善回路を含んだ電源装置のユニバーサル電圧対応を行うと、特に１００Ｖ系の効率の悪化が懸念される。これは、ワールドワイド入力で、且つ昇圧回路を備えた場合、力率改善回路の出力電圧を高めに設定する必要があるためである。通常、商用電源１１８が１００Ｖ系の場合は力率改善回路（アクティブフィルタ回路）の出力電圧を２００Ｖ〜３００Ｖに設定する。ユニバーサル電圧対応のため力率改善回路の出力電圧（アクティブフィルタ回路）を例えば４００Ｖ弱に設定すると、通常の場合より１００Ｖ〜２００Ｖ高く設定することになる。このため、特に商用電源１１８が１００Ｖ系の場合に力率改善回路（アクティブフィルタ回路）のスイッチング損失が通常より大きくなってしまう。
【００４５】
したがって、商用電源１１８の入力電流上限値を超えないために注意が必要な電源装置の入力電圧検出範囲は、主に１００Ｖ系の入力範囲だけで良く、２００Ｖ系の入力範囲においては１００Ｖ系で通常動作が保証されるなら入力電圧検出の必要は無い。
【００４６】
そこで本実施形態では、ユニバーサル電圧対応の電源装置において、入力電圧検出範囲を主に１００Ｖ系電源電圧範囲に限定することで、１００Ｖ系と２００Ｖ系のいずれかの電源環境検知を行うと共に、１００Ｖ系の検出精度向上を行うようにした。
【００４７】
１００Ｖ系、２００Ｖ系の両方において入力電圧検出を行った場合の出力結果を図６（ａ）に、１００Ｖ系に限定して入力電圧検出を行った場合の出力結果を図６（ｂ）に示す。両図は、制御部２１４のＡＤ変換部の入力範囲を３．３Ｖとした例を示す。両図を比較して分かるようにＡＤ変換部の入力範囲は決定されているので、入力電圧検出範囲が広い場合（図６（ａ））は検出分解能が低下することが分かる。また、検出範囲を１５０Ｖ程度まで広げることで、検出結果が３．３Ｖに張り付いた場合、つまりＡＣ１５０Ｖ以上であると判断した場合に２００Ｖ系の電源環境と認知することが可能である。
【図面の簡単な説明】
【００４８】
【図１】本発明が実施される画像形成装置であるカラーレーザビームプリンタ全体の概略構成を示す構成図である。
【図２】実施形態１に係る電源装置の要部の回路を示す概略回路図である。
【図３】実施形態１に係る入力交流電圧検出のタイミングシーケンスを示すタイミング図である。
【図４】実施形態１に係る入力交流電圧検出のシーケンスを示すフローチャートである。
【図５】実施形態２に係る電源装置の要部の回路を示す概略回路図である。
【図６】実施形態３に係る電源装置の入力電圧検出範囲を説明するための図である。
【符号の説明】
【００４９】
１００  画像形成装置
１０１  記録媒体
１０２  給送ローラ
１０３  中間転写体
１０４  感光ドラム
１０５  一次帯電器
１０６  レーザビームスキャナ
１０７  現像器
１０８  転写ローラ
１０９  廃トナークリーナ
１１０  廃トナー容器
１１１  二次転写廃トナークリーナ
１１２  二次転写廃トナー容器
１１３  定着器
１１４  定着ヒータ
１１５  定着ローラ
１１６  加圧ローラ
１１７  温度湿度センサ
１１８  商用電源
１１９  電源装置
１２０  メディアセンサ
１２１  タッチパネル
２００  ブリッジダイオード
２０１  力率改善回路用チョークコイル
２０２  力率改善回路用スイッチング素子
２０３  力率改善回路用ダイオード
２０４  １次平滑コンデンサ
２０５  スイッチング素子
２０６  力率改善用ＩＣ
２０７  電源ＩＣ
２０８  力率改善ＩＣオンオフコントロール回路
２０９  トランス
２１０  電圧検出回路
２１１  ２次側整流ダイオード
２１２  ２次平滑コンデンサ
２１３  負荷
２１４  制御部
２１５  記憶装置
５００  記憶媒体
【図１】
2007101667.tif 000003
【図２】
2007101667.tif 000004
【図３】
2007101667.tif 000005
【図４】
2007101667.tif 000006
【図５】
2007101667.tif 000007
【図６】
2007101667.tif 000008